(57)【要約】  本発明は、符号化メッセージブロックが複数の副搬送波または成分の上に拡散される無線通信システムにおける自動再送要求（ＡＲＱ）に関するものである。本発明に従えば、等化ＨＡＲＱ法が導入される。等化ＨＡＲＱは、受信した符号化メッセージブロックの最も歪んだ部分を識別し（２１５）、再送する（２３０）。さらに、随意の選択として、再送される部分は、より高い品質の成分に再配置（２２５）することができ、以前の送信においてひどく歪んだ部分に対してよい再送品質を保証する。受信ノードにおけるソフトビット合成の後には、最終的な受信符号語は、低いマルチステート動作損失を持つ等化品質変動を経験する。
2009522846.tif 000002
【特許請求の範囲】
【請求項１】
無線通信システムにおける送信ノードと受信ノードとの間の通信方法であって、前記通信は、複数の成分に分散された複数の部分を含む第１の符号化メッセージブロックを前記受信ノードに送信する送信ノードを含み、該方法は、
受信された前記第１の符号化メッセージブロックが正しく復号されなかったことを識別し、復号誤りに寄与する可能性のある前記第１の符号化メッセージブロックの少なくとも１つの部分と該部分に関連する成分とを識別する、ステップ（２１５）と、
前記受信ノードが、前記第１の符号化メッセージブロックが正しく復号されなかったことを示す少なくとも１つの指示を前記送信ノードにフィードバックするステップ（２２０）と、
前記送信ノードが、前記第１の符号化メッセージブロックの選択された部分を第２の符号化メッセージブロックにより前記受信ノードに再送信するステップ（２３０）と、
を含むことを特徴とする通信方法。
【請求項２】
識別する前記ステップは、前記第１の符号化メッセージブロックの送信で使用された複数の成分の品質指示子を決定するステップを含むことを特徴とする請求項１に記載の通信方法。
【請求項３】
前記第１の符号化メッセージブロックの１つの部分は、当該部分に関連する成分の品質指示子が品質閾値を下回る場合、再送信が必要な１つの部分として識別されることを特徴とする請求項２に記載の通信方法。
【請求項４】
前記品質指示子は、少なくとも部分的に、前記第１の符号化メッセージブロックに対し実行された品質測定値、または、前記第１の符号化メッセージブロックに関連する無線信号に基づいていることを特徴とする請求項２または３に記載の通信方法。
【請求項５】
前記品質指示子は、少なくとも部分的にＳＩＮＲ測定値に基づいていることを特徴とする請求項３または４に記載の通信方法。
【請求項６】
前記品質指示子は、少なくとも部分的にシンボル情報速度に基づいていることを特徴とする請求項３または４に記載の通信方法。
【請求項７】
前記品質指示子は、少なくとも部分的にチャネル品質予測値に基づいていることを特徴とする請求項２または３に記載の通信方法。
【請求項８】
復号誤りを識別する前記ステップ（２１０）は、エラー検出符号化および巡回冗長検査ビットの使用を含むことを特徴とする請求項２乃至７の何れか一項に記載の通信方法。
【請求項９】
復号誤りを識別する前記ステップ（２１０）は、早期停止法の使用を含むことを特徴とする請求項２乃至７の何れか一項に記載の通信方法。
【請求項１０】
さらに、再送設定を決定するステップ（２２５）を含み、該決定は、成分選択、リンク適応、電力制御、スケジューリングの中の１つまたは組み合わせを含むことを特徴とする請求項２乃至９の何れか一項に記載の通信方法。
【請求項１１】
前記リンク適応は、前記受信ノードからの前記フィードバックの中で提供されるリンク適応パラメータに基づくことを特徴とする請求項１０に記載の通信方法。
【請求項１２】
１以上の前記リンク適応パラメータが、対応する閾値を下回る場合、リンク適応の変更が開始されることを特徴とする請求項１１に記載の通信方法。
【請求項１３】
前記第１の符号化メッセージブロックに含まれない新規の符号化ビットが前記第２の符号化メッセージブロックに追加されることを特徴とする請求項１０に記載の通信方法。
【請求項１４】
前記第１の符号化メッセージブロックの復号を容易にするために、さらに、前記第１の符号化メッセージブロックおよび前記第２の符号化メッセージブロックからの情報を合成するステップ（２３５）を含むことを特徴とする請求項１乃至１３の何れか一項に記載の通信方法。
【請求項１５】
前記合成はソフトビット合成であることを特徴とする請求項１４に記載の通信方法。
【請求項１６】
前記ソフトビット合成は選択的であり、前記第１の符号化メッセージブロックのソフトビットの選択は前記合成から除外され、それらに関連する成分の品質指示子に基づいていることを特徴とする請求項１５に記載の通信方法。
【請求項１７】
除外される前記ソフトビットは、除外閾値を下回る品質指示子を有する成分に関連するソフトビットとして識別されることを特徴とする請求項１６に記載の通信方法。
【請求項１８】
前記無線通信システムは前記無線アクセス技術として直交周波数分割多重を利用することを特徴とする請求項１乃至１７の何れか一項に記載の通信方法。
【請求項１９】
無線通信システムの送信ノードにおける通信方法であって、該送信ノードは受信ノードとの通信に従事しており、前記通信は、複数の成分に分散された複数の部分を含む第１の符号化メッセージブロックを前記受信ノードに送信する前記送信ノードを含み、該方法は、
前記送信ノードが、前記第１の符号化メッセージブロックの選択された部分を第２の符号化メッセージブロックにより前記受信ノードに再送信するステップ（２３０）を含み、当該再送信は、前記受信ノードからの前記第１の符号化メッセージブロックが復号されなかったことを少なくとも示すフィードバックの受信により開始されることを特徴とする通信方法。
【請求項２０】
前記受信ノードからの前記フィードバックは、前記第１の符号化メッセージブロックの再送が必要な部分を識別する明示的な再送要求情報を含むことを特徴とする請求項１９に記載の通信方法。
【請求項２１】
さらに、前記第１の符号化メッセージブロックの再送が必要な部分を識別するステップ（２１５：ａ）を含み、前記識別は、少なくとも部分的に、前記第１の符号化メッセージブロックの送信に使用された複数の成分の品質識別子に基づいており、前記品質識別子は、送信ノードで決定され前記フィードバックにより前記送信ノードに提供されることを特徴とする請求項１９に記載の通信方法。
【請求項２２】
前記第１の符号化メッセージブロックの部分は、当該部分に関連する成分の品質指示子が品質閾値を下回る場合、再送信が必要な部分として識別されることを特徴とする請求項２１に記載の通信方法。
【請求項２３】
前記品質閾値は、予め決定された値であることを特徴とする請求項２２に記載の通信方法。
【請求項２４】
前記品質閾値は、前記送信ノードにより決定される動的な値であることを特徴とする請求項２２に記載の通信方法。
【請求項２５】
前記品質閾値は、前記送信ノードに提供された前記フィードバックの中の情報に基づいて決定されることを特徴とする請求項２４に記載の通信方法。
【請求項２６】
前記送信ノードは、前記第２の符号化メッセージブロックを正しく解釈できるように前記品質閾値の情報を前記受信ノードに転送することを特徴とする請求項２５に記載の通信方法。
【請求項２７】
前記品質指示子は、少なくとも部分的に、前記第１の符号化メッセージブロックに対し実行された品質測定値、または、前記第１の符号化メッセージブロックに関連する無線信号に基づいていることを特徴とする請求項２１乃至２６の何れか一項に記載の通信方法。
【請求項２８】
前記品質指示子は、少なくとも部分的にＳＩＮＲ測定値に基づいていることを特徴とする請求項２７に記載の通信方法。
【請求項２９】
前記品質指示子は、少なくとも部分的にシンボル情報速度に基づいていることを特徴とする請求項２７に記載の通信方法。
【請求項３０】
さらに、前記第１の符号化メッセージブロックの再送が必要な部分を識別するステップ（２１５：ｂ）を含み、前記識別は、少なくとも部分的に、前記第１の符号化メッセージブロックの送信に使用された複数の成分の品質識別子に基づいており、前記品質識別子は、少なくとも部分的に、チャネル品質予測値に基づいていることを特徴とする請求項１９に記載の通信方法。
【請求項３１】
さらに、再送設定を決定するステップ（２２５）を含み、該決定は、成分選択、リンク適応、電力制御、スケジューリングの中の１つまたは組み合わせを含むことを特徴とする請求項１９乃至３０の何れか一項に記載の通信方法。
【請求項３２】
前記リンク適応は、前記受信ノードからの前記フィードバックの中で提供されるリンク適応パラメータに基づくことを特徴とする請求項３１に記載の通信方法。
【請求項３３】
前記リンク適応は、予測されたリンク適応パラメータに基づくことを特徴とする請求項３１に記載の通信方法。
【請求項３４】
１以上の前記リンク適応パラメータが、対応する閾値を下回る場合、リンク適応の変更が開始されることを特徴とする請求項３２または３３に記載の通信方法。
【請求項３５】
前記第１の符号化メッセージブロックに含まれない新規の符号化ビットが前記第２の符号化メッセージブロックに追加されることを特徴とする請求項３１に記載の通信方法。
【請求項３６】
無線通信システムの受信ノードにおける通信方法であって、該受信ノードは送信ノードとの通信に従事しており、前記通信は、複数の成分に分散された複数の部分を含む第１の符号化メッセージブロックを前記送信ノードから受信する前記受信ノードを含み、該方法は、
受信された前記第１の符号化メッセージブロックが正しく復号されなかったことを識別するステップ（２１５）と、
前記第１の符号化メッセージブロックの復号を容易にするために、第２の符号化メッセージブロックにより再送信すべき前記第１の符号化メッセージブロックの少なくとも１つの部分を決定するステップ（２１５：ａ）と、
前記第１の符号化メッセージブロックが正しく復号されなかったことを示す少なくとも１つの指示と、再送信すべき前記第１の符号化メッセージブロックの前記少なくとも１つの部分の指示と、を前記送信ノードにフィードバックするステップ（２２０）と、
を含むことを特徴とする通信方法。
【請求項３７】
前記受信ノードからの前記フィードバックは、前記第１の符号化メッセージブロックの再送が必要な部分を識別する明示的な再送要求情報を含むことを特徴とする請求項３６に記載の通信方法。
【請求項３８】
前記品質指示子は、少なくとも部分的に、前記第１の符号化メッセージブロックに対し実行された品質測定値、または、前記第１の符号化メッセージブロックに関連する無線信号に基づいていることを特徴とする請求項３７に記載の通信方法。
【請求項３９】
前記品質指示子は、少なくとも部分的にＳＩＮＲ測定値に基づいていることを特徴とする請求項３８に記載の通信方法。
【請求項４０】
前記品質指示子は、少なくとも部分的にシンボル情報速度に基づいていることを特徴とする請求項３８に記載の通信方法。
【請求項４１】
前記第１の符号化メッセージブロックの部分は、当該部分に関連する成分の品質指示子が品質閾値を下回る場合、再送信が必要な部分として識別されることを特徴とする請求項３８乃至４０の何れか一項に記載の通信方法。
【請求項４２】
さらに、提示された再送設定を決定するステップを含み、前記提示された再送設定は前記送信ノードへのフィードバックに含まれ、前記決定は、成分選択、リンク適応、電力制御の中の１つまたは組み合わせを含むことを特徴とする請求項３６乃至４０の何れか一項に記載の通信方法。
【請求項４３】
前記品質閾値は前記送信ノードへのフィードバックに含まれることを特徴とする請求項４２に記載の通信方法。
【請求項４４】
１以上の前記リンク適応パラメータが、対応する閾値を下回る場合、リンク適応の変更が提示されることを特徴とする請求項４２または４３に記載の通信方法。
【請求項４５】
前記第１の符号化メッセージブロックの復号を容易にするために、さらに、前記第１の符号化メッセージブロックおよび前記第２の符号化メッセージブロックからの情報を合成するステップ（２３５）を含むことを特徴とする請求項３６乃至４４の何れか一項に記載の通信方法。
【請求項４６】
前記合成はソフトビット合成であることを特徴とする請求項４５に記載の通信方法。
【請求項４７】
前記ソフトビット合成は選択的であり、前記第１の符号化メッセージブロックのソフトビットの選択は前記合成から除外され、それらに関連する成分の品質指示子に基づいていることを特徴とする請求項４６に記載の通信方法。
【請求項４８】
除外される前記ソフトビットは、除外閾値を下回る品質指示子を有する成分に関連するソフトビットとして識別されることを特徴とする請求項４７に記載の通信方法。
【請求項４９】
前記第１の符号化メッセージブロックが正しく復号されなかったことの前記識別（２１５）は、誤り検出復号に基づいていることを特徴とする請求項３６乃至４８の何れか一項に記載の通信方法。
【請求項５０】
前記第１の符号化メッセージブロックが正しく復号されなかったことの前記識別（２１５）は、巡回冗長検査ビットに基づいていることを特徴とする請求項３６乃至４８の何れか一項に記載の通信方法。
【請求項５１】
前記第１の符号化メッセージブロックが正しく復号されなかったことの前記識別（２１５）は、反復復号器のための早期停止法に基づいていることを特徴とする請求項３６乃至４８の何れか一項に記載の通信方法。
【請求項５２】
通信システムでの使用に適した送信ノードであって、該送信ノードは少なくとも受信ノードとの通信に適したものであり、通信において前記送信ノードは、複数の成分に分散された複数の部分を含む第１の符号化メッセージブロックを前記受信ノードに送信し、前記送信ノードは無線通信手段（６０５）を含み、
受信ノードからのフィードバック情報の受信に適し、前記フィードバックは符号化メッセージブロックが誤りとして受信されたことを示す、フィードバック受信モジュール（６１０）と、
前記フィードバック受信モジュール（６１０）と接続し、少なくとも前記フィードバック受信モジュール（６１０）から提供されたフィードバックに基づいて再送すべきメッセージブロックの部分を決定するのに適した、再送設定モジュール（６１５）と、
を含むことを特徴とする送信ノード。
【請求項５３】
前記フィードバック受信モジュール（６１０）は、さらに、成分と関連する品質指示子の受信に適しており、前記再送設定モジュール（６１５）は、前記フィードバック受信モジュール（６１０）から提供された品質指示子に再送設定の決定の基とすることを特徴とする請求項５２に記載の送信ノード。
【請求項５４】
前記再送設定モジュール（６１５）は、さらに、再送信に適したリンク適応パラメータを決定するのに適したリンク適応モジュール（６３０）を含むか、または、該リンク適応モジュール（６３０）と接続していることを特徴とする請求項５２または５３に記載の送信ノード。
【請求項５５】
前記再送設定モジュール（６１５）は、さらに、チャネル予測値に基づいて成分品質指示子を決定するのに適したチャネル品質測定モジュール（６２０）を含むか、または、該チャネル品質測定モジュール（６２０）と接続していることを特徴とする請求項５２または５４に記載の送信ノード。
【請求項５６】
通信システムでの使用に適した受信ノードであって、該受信ノードは少なくとも送信ノードとの通信に適したものであり、通信において前記送信ノードは、複数の成分に分散された複数の部分を含む第１の符号化メッセージブロックを前記受信ノードに送信し、前記受信ノードは無線通信手段（６０５）を含み、
前記無線通信手段（６０５）と接続し、受信したメッセージブロックが復号されなかった場合、誤り指示を提供するのに適した、復号モジュール（６６５）と、
成分の各々に対する品質指示子を提供するのに適した品質測定モジュール（６７５）と、
前記復号モジュール（６６５）および前記品質測定モジュール（６７５）と接続し、前記復号モジュール（６６５）から復号誤りの指示を受信した場合、前記品質測定モジュール（６７５）から提供された品質指示子を送信ノードにフィードバックするのに適した、フィードバックモジュール（６７０）と、
を含むことを特徴とする受信ノード。
【請求項５７】
前記品質測定モジュール（６７５）は、さらに、符号化メッセージブロックの再送を必要とする部分を識別するのに適しており、前記フィードバックモジュール（６７０）は、前記品質測定モジュール（６７５）により識別された部分に基づいて明示的な再送要求情報を提供するのに適していることを特徴とする請求項５６に記載の受信ノード。
【請求項５８】
前記品質測定モジュール（６７５）は、さらに、成分の品質測定値と品質閾値とを比較することにより符号化メッセージブロックの再送を必要とする部分を識別するのに適していることを特徴とする請求項５７に記載の受信ノード。
【発明の詳細な説明】
【技術分野】
【０００１】
本発明は、無線通信システムにおけるハイブリッド自動再送要求（ＨＡＲＱ）に関するものである。より詳細に、本発明は、変動する無線チャネルでのＨＡＲＱの使用に関する。
【背景技術】
【０００２】
多くの通信システムにおいて、特に無線通信システムにおいては、システムの中の１つの実体から少なくとも別の１つの実体にデータユニットを、データの消失もデータの重複もなく配送する信頼性の高いプロトコルを提供することがことのほか重要である。このような信頼性の高いデータ配送プロトコルは、典型的に、データの受信者は、データを受信したときはＡＣＫ（肯定応答）で、および／または、もしデータが消失した場合にはＮＡＣＫ（否定応答）で、データの送信者に応答するという原理によっている。送信者は、ＡＣＫに続いて次のデータユニットを送信する、または、ＮＡＣＫの場合には消失したデータユニットを再送するであろう。
【０００３】
通信ネットワークにおいて、自動再送要求（ＡＲＱ）は最も普通に用いられる再送技術であり、信頼性の高いユーザデータ転送およびデータ系列完全性を保証している。データは、送信される前に、より小さなパケット、プロトコルデータユニット（ＰＤＵ）に分割される。受信者が誤ったまたは消失したパケットを検出することができ、それにより再送を要求することができるように、パケットを誤り検出符号で符号化することにより、信頼性の高い転送が可能となる。データ系列完全性は、通常は、パケットに系列番号を付すことと、ある特定の送信規則を適用することにより達成される。
【０００４】
一般にストップアンドウェイト（Stop-and-Wait）ＡＲＱと呼ばれる最も簡単な形のＡＲＱでは、データの送信者は、送信したそれぞれのデータパケットを記憶しておき、肯定応答メッセージ（ＡＣＫ）による、正しくデータパケットを受信したという受信者からの応答を待つ。ＡＣＫが受信されると、送信者は記憶していたパケットを廃棄して次のパケットを送信する。従来技術のストップアンドウェイトＡＲＱスキームの１例が図１ａのメッセージシーケンスチャートに図示されている。処理は、典型的にタイマと否定応答メッセージ（ＮＡＣＫ）を使用することによって補完され、それは図１ｂに示されている。送信実体がタイマを用い、データパケットの送信と同時にタイマを始動し、そして、もしタイマの時間が切れるまでＡＣＫが受信されなければ、データパケットは再送される。もし受信者がパケットの中に誤りを検出すれば、受信者は送信者にＮＡＣＫを送信することができる。送信者は、ＮＡＣＫを受信すると、タイマの時間の切れるのを待たずにデータパケットを再送する。もし、ＡＣＫメッセージまたはＮＡＣＫメッセージが消失すれば、タイマは必然的に時間が切れるであろうから、送信者はデータパケットを再送するであろう。簡単なストップアンドウェイトから、従来のＡＲＱのより複雑なスキームが開発され、例えば、ゴーバックＮ（Go-Back-N）および選択拒否（または選択再送）があり、これはより高いスループットを与える。Ｄａｈｌｍａｎ他のＷＯ０２／０９３４２で説明されているものは、通信リソースに関して望ましい利益を与えるように設定および／または協定されたＡＲＱパラメータを導入することにより、伝統的なＡＲＱスキームに柔軟性を加えたＡＲＱである。
【０００５】
ＡＲＱの開発の別の線においては、通信動作特性（一般的にスループットで測られる）を高めるために、符号化に冗長度を設ける種々の方法が開発されている。これらのスキームは、ハイブリッドＡＲＱスキームと呼ばれる。ハイブリッドＡＲＱの基本は、「”Error Control Coding: Fundamentals and Applications” Shu Lin and Daniel J.Costello, Prentice Hall, 1983, pp 477-494」に記載されている。ハイブリッドＡＲＱスキームでは、符号化とＡＲＱとを組み合わせて用いるので、フェーディングのような無線環境の変化に対しある程度の適応性を得ることができる。フェーディングチャネルに対処するためのＡＲＱスキームと符号化スキームとの最も適切な組み合わせは簡単自明ではない。いくつかの考え方とスキームが提案され用いられている。
【０００６】
最近開発されたＨＡＲＱプロトコルは、チェース合成（Chase combining）と冗長インクリメント（incremental redundancy）アプローチを含み、「”Performance comparison of HARQ with Chase combining and incremental redundancy for HSDPA” Frenger P., Parkvall S., Dahlman E., VTC2001 Fall, IEEE VTS 54th, Volume:3, 7-11,Oct. 2001, pp1929-1833 vol.3」に記述されている。チェース合成スキーム（ＨＡＲＣ−ＣＣ）は、タイプＩのＨＡＲＱと呼ばれ、ここでは初期の送信に使用したのと同じビット系列が再送に対しても用いられ、受信者は常に、失敗したブロックの完全な再送の合成を行う。受信機バッファの中にバッファされる符号化ビットの量は同じに維持されることに注意を要する。冗長インクリメントスキームすなわちＨＡＲＱ−ＩＲは、またタイプＩＩのＨＡＲＱと呼ばれ、ここでは再送は、以前送信したブロックに新しい符号化ビットを導入する。すなわち、続けて行う再送で、受信機の中にバッファされるデータの量は増加して行く。ＩＲのために組織化優先（systematic priority）およびパリティ優先（parity priority）の２つの代替的スキームが考慮されている。
【０００７】
ＨＡＲＱスキームは典型的に、例えば、レイリーフェージングまたは予測できない干渉の変動によるチャネル内の信号強度に関わる変動のような、無線環境の変化と変動に対して敏感であると認識されている。チャネルの変動は、さらに、チャネル測定の不正確さ、および／または、古くなったチャネル測定がリンクモード選択に用いられることの原因になる可能性がある。もし、選択された速度に対して許容される以上の干渉と雑音があれば、復号が不可能な速度でパケットが送信されることを引き起こす可能性がある。あるいは、余裕分を導入し低減された速度を用いることもできる。しかしこれは、もっと高い速度を伝送できるチャネルを効率よく用いないという「代償」の上で行われる。米国特許第６，１０１，１６８号には、受信機の中にシンボルを蓄積することにより、チャネルの変化に対してある程度の適応性を与える方法と構成が記載されている。正しく受信されなかったデータは、新しいデータと同時に、しかし、異なる符号化率および／または異なる電力レベルで再送される。
【０００８】
例えば、直交周波数分割多重（ＯＦＤＭ）システムのように、単一のメッセージを送信するために複数の成分（component）を用いる無線通信システムでは、再送スキームにさらなる要求条件が加えられる。このようなシステムでは、前方誤り訂正（ＦＥＣ）符号語が、チャネル品質状態が変動する複数の成分によって伝送される。従って、信頼性の高い再送を維持するには、いくつかの困難な点がある。
−  マルチステートチャネルの品質変動は、伝送に固有の損失を引き起こす。変動度の高いマルチステートチャネルの上で伝送する符号語は、同じ目標品質（例えば、ブロック誤り率（ＢＬＥＲ））を得るのに、変動度の低いマルチステートチャネルと比較して、より高い動作信号対雑音比ＳＮＲを必要とする。
−  品質の低い成分またはチャネル状態に対しては、チャネル推定は誤りを招きやすい。チャネル推定が悪ければ、低い品質を含めることになり、それはよりよい品質の成分からエネルギーを実効的に差し引くことになる。
−  ターボ符号に対しては、広いチャネル品質変動は組織化ビットを消去するという重大事を起こしかねない。十分な組織化ビットなくしては、ターボ復号器は動作しない。
【発明の開示】
【発明が解決しようとする課題】
【０００９】
従来技術のＨＡＲＱプロトコルは、上記の困難さを考慮に入れないので、欠陥が現れる。
−  ＨＡＲＱ−ＣＣは常に同一の符号化ビットを再送する。
−  パリティ優先のＨＡＲＱ−ＩＲは、常に同じ大きさの新しい符号化ビットを再送する。さらに、これは組織化ビット消去の問題を正さない。
−  組織化優先のＨＡＲＱ−ＩＲは、完全な組織化ビットと、大きさを満たすために、いくつかの新しい符号化ビットを再送する。
【００１０】
結局、貴重な無線リソースの無駄な使用を避けることができない。さらに、従来技術のＨＡＲＱプロトコルは、マルチステートチャネルによって生ずる問題点に対して焦点を当ててはいない。
【００１１】
例えば、直交周波数分割多重（ＯＦＤＭ）のような複数の成分を利用する無線通信システムにおけるチャネル品質の変化に対し、迅速にかつ自動的に適応する、改善されたＨＡＲＱの方法が要求されることは明らかである。
【００１２】
本発明の目的は、従来技術の欠点を克服する方法および装置を提供することにある。これは、請求項１に規定される方法によって達成され、送信ノードにおける方法は請求項１９で規定され、受信ノードにおける方法は請求項３６で規定され、送信ノードは請求項５２で規定され、受信ノードは請求項５６で規定される。
【課題を解決するための手段】
【００１３】
本発明に従った方法では、送信者と受信者とは互いに無線通信を行っており、送信ノードは受信ノードに対して、複数の成分の上に分布した複数の部分を含む符号化メッセージブロックを送信する。本発明に従えば、等化ＨＡＲＱ法が導入される。等化ＨＡＲＱは、受信した符号化メッセージブロックの最も歪んだ部分を識別して再送する。さらに、随意の選択として、再送される部分は、より品質の高い成分へ再配置することもでき、以前の送信におけるひどく歪んだ部分に対し、よい再送品質を保証する。最初に送信された歪んだ部分とその再送とを合成するか、または最初に送信された歪んだ部分をその再送で置換するかによる、受信ノードでのソフト合成の後に、最後に受信された符号語は、品質の変動が等化されて強さが補強される。
【００１４】
本方法の好適なる実施形態は、
−  受信した第１の符号化メッセージブロックが正しく復号化されなかったことを識別し、復号誤りに寄与した可能性のある第１の符号化メッセージの少なくとも一部分と前記部分に関連する成分を識別するステップと、
−  受信ノードが、第１の符号化メッセージブロックが正しく復号されなかったことを示す少なくとも１つの指示を送信ノードにフィードバックするステップと、
−  送信ノードが、第１の符号化メッセージブロックの選択された部分を、第２の符号化メッセージブロックの中に入れて受信ノードに再送するステップと、
を含む。
【００１５】
本発明に従った送信ノードは、複数の成分の上に分布した複数の部分を含む符号化メッセージブロックを送信するように適合される。送信ノードは、無線通信手段と、受信ノードからのフィードバック情報を受信するように適合されたフィードバック受信モジュールと、フィードバック受信モジュールに接続された再送設定モジュールとを備える。前記フィードバックは、符号化メッセージブロックが誤って受信されればそれを指示する。再送設定モジュールは、少なくとも部分的には、フィードバック受信モジュールから供給されるフィードバックに基づいて、メッセージブロックのどの部分を再送すべきかを決定するように適合される。
【００１６】
本発明に従った受信ノードは、複数の成分の上に分布した複数の部分を含む符号化メッセージブロックを受信するように適合される。送信ノードは、無線通信手段と、無線通信手段に接続された復号モジュールと、復号モジュールに接続された品質測定モジュールおよびフィードバックモジュールとを備え、品質測定モジュールは、それぞれの成分に対する品質指示子を供給するように適合される。復号モジュールは、受信した符号化メッセージブロックを復号できなかった場合には誤りの指示を供給するように適合され、フィードバックモジュールは、復号モジュールから復号誤りの指示を受信したときに、品質測定モジュールから供給される品質指示子を送信ノードにフィードバックするように適合される。
【発明の効果】
【００１７】
本発明に従った等化ＨＡＲＱによって、例えば、直交周波数分割多重（ＯＦＤＭ）システムのような複数の成分を利用する無線通信システムにおいて、チャネル品質の変化に対し、迅速にかつ自動的に適応する通信方法を実現することができる。
【００１８】
本発明に従った方法の１つの利点は、異なる変調モードと送信電力（もし許されるならば）で行う再送に対する、個別チャネルに依存するリンク適応性を提供し、再送の信頼性を高めることである。
【００１９】
更なる利点は、本等化ＨＡＲＱは、不必要な無線リソースの消費を最小にする再送適応性を組み入れることにより、従来のＨＡＲＱと比較して、より柔軟な適応性を提供することである。
【００２０】
さらに別の利点は、再送においてパケットサイズに対する固定的な制限がないことであり、従って、再送のリソース割り当てに対してより高い柔軟性が得られることである。
【００２１】
本発明の実施形態は添付の従属請求項によって規定される。本発明の他の目的、利点、および新規なる特徴は、以下に示される本発明の詳細なる記載から、添付の図面と請求項とともに考えることにより、明らかになるであろう。
【発明を実施するための最良の形態】
【００２２】
本発明は、図面を参照して詳細に記載される。
【００２３】
ＨＡＲＱを用いるための典型的なシナリオでは、２つ以上の実体、または、ノードは、互いに無線通信を行っている。その通信は、通常、例えば、ＵＭＴＳのような無線通信システムにおける論理チャネルである無線チャネルの上で、または、ＯＦＤＭのようなマルチキャリアシステムにおける複数の副搬送波の上で行われる場合が考慮される。ノードは、無線信号の送信と受信の両方を行うことができる。ＨＡＲＱ処理においては、両方のノードは無線チャネルを通して信号の受信と送信を行うが、説明を明確にするために、データの送信を行うノードを送信ノード、データの受信を行うノードを受信ノードと呼ぶ。ノードは、例えば、無線基地局、移動局、さらには、無線通信機能を設備したラップトップコンピュータ、ＰＤＡ、カメラ、ビデオ／オーディオプレイヤ、ゲームパッド等の種々のユーザ装置、および、車載または固定の機械であってよい。
【００２４】
マルチキャリアシステムは、メッセージがその上に分布される複数の識別可能な／インデクス可能な複数の成分によって特徴づけられる。例えば、ＯＦＤＭでは、利用可能な周波数スペクトラムが、比較的狭い周波数範囲の多くの複数の副搬送波に分割され、１つの成分は、ある副搬送波（周波数）または１組の副搬送波の、あるタイムスロットであると見ることができる。マルチキャリアＣＤＭＡでは、成分は、あるタイムスロット、および／または、特定の直接系列符号に関係づけることができる。成分がどのように識別されるかは、通信／伝送システムに依存し、典型的にはシステムを規制する基準の中で規定される。
【００２５】
本発明に従った方法と構成が応用可能なマルチキャリアシステムでは、符号化メッセージブロック、すなわち、ＦＥＣ符号語は、典型的には、変調されて成分の上に拡散される。従って、符号化メッセージブロックは、異なる成分に関連づけられた部分に分けられて送信される。符号化メッセージの部分の本質的な部分は、受信ノードが符号化メッセージブロックを正しく復号するために必要である。
【００２６】
ここで今後用いる符号化メッセージブロックという用語は、異なる通信システムの間では構成と様式（フォーマット）が異なっていることがあるので、広い解釈が与えられる。１つのシステムは種々の異なる様式を支持することができる。
【００２７】
技術背景の節で議論したように、トラフィックの変動によって生じたフェーディングの変動と干渉の変動は、チャネルの品質の予測できない変化を引き起こす可能性がある。例えば、ＯＦＤＭシステムにおけるマルチキャリアの間に拡散されている符号ブロックのような、マルチキャリアシステムにおいて送信される符号化メッセージブロックを持つシステムは、周波数領域のマルチチャネル状態を経験することを考慮すると、符号ブロックの部分は、低い伝送品質、ときには、成分の符号化ビットが厳しく歪むであろうような低い品質を経験するかも知れない。従って、低い品質の成分の上で送信される部分に対応した符号化メッセージブロックの部分は、消失するかまたは厳しく歪み、それにより受信ノードではその符号化メッセージブロックを復号することができなくなる可能性がある。
【００２８】
本発明に従えば、等化ＨＡＲＱ法が導入される。等化ＨＡＲＱは、受信した符号化メッセージブロックの最も歪んだ部分を検出し、再送を行う。さらに、再送される部分は、随意の選択として、より高い品質の成分の上に再配置することもでき、これにより、以前の送信においてひどく歪んだ部分に対して、よい再送品質が保証される。最初に送信された歪んだ部分とその再送とを合成するか、または、最初に送信された歪んだ部分をその再送で置換するかによる、受信ノードにおけるソフト合成の結果、最後に受信される符号語は、マルチステート動作損失がずっと少ない、等化された品質変動を経験する。本方法は、組織化ビット消去の問題を被らない。
【００２９】
不必要な無線リソースの消費を最小にするために、本発明に従った方法は、完全な符号化メッセージブロックも、全ての組織化ビットも、自動的に再送を行うことはしない。再送パケットサイズは、以前の送信の品質測定、次の送信における品質要求条件と利用可能なリソース等、に依存する。さらに、再送すべく識別された歪んだ部分または歪んだ符号化ビットは、随意の選択として、以前用いたのとは異なる変調にマッピングすることができる。従って、本発明に従う方法は、非常に柔軟な再送適応性を支持する。
【００３０】
本発明に従った方法は、図２のフローチャートと図３のシグナリングスキームを参照して説明される。本発明に従った方法は以下のステップを備える。
【００３１】
２０５：  送信ノード３０５は、第１の符号化メッセージブロックを複数の成分の上で受信ノードに送信する。
【００３２】
２１０：  受信ノードは、第１の符号化メッセージブロックを受信して、そのメッセージブロックを復号できない場合には、再送適応処理が始動されるであろう。誤りの検出は、訂正不可能なブロックを指示するブロック誤り指示子（ＢＥＩ）を用いて実行することができる。受信した第１の符号化メッセージブロックは受信ノードによって記憶される。もし、誤りが検出されなければ、受信ノードは更なるメッセージブロックの受信を行う用意をする。
【００３３】
２１５：  再送適応処理において、第１の符号化メッセージブロックのどの部分がブロック誤りを引き起こした可能性が最も高いかの識別は、成分品質の測定または予測に基づく。品質の測定は、ＳＩＮＲおよびシンボル情報速度を含むが、これに限定はされない。１つ以上の品質測定、および／または、品質予測は、それぞれの成分に対する品質指示子を決定するのに用いられる。異なる実施形態に対応する異なる代替的実行形態が可能である。
【００３４】
２１５ａ：  受信ノードは、受信した第１の符号化メッセージブロックの特定の部分に関連して、例えば、ＳＩＮＲまたはシンボル情報速度等の品質測定を、受信した信号の上で実行し、それぞれの成分に対する品質指示子を決定する。成分は、それらのそれぞれの品質指示子に基づいて分類整理されることが望ましい。そして、品質閾値以下の受信品質識別子を持つ成分に関わる部分は悪い部分であると識別される。
【００３５】
２１５ｂ：  送信ノードは、例えば、以前の送信のチャネル品質応答に基づいて、それぞれの成分に対して成分の品質を予測する。これを、予測品質指示子と呼ぶ。品質閾値以下の予測品質識別子に関わる部分は悪い部分であると識別される。
【００３６】
２２０：  受信ノードは送信ノードに情報をフィードバックする。実行形態／実施形態によって、フィードバックは明示的な形で行われてもよいし、減少されてもよい。
【００３７】
２２０ａ：  受信ノードが成分品質指示子を決定する場合には、受信ノードは、再送されるべき部分を識別する明示的な要求情報をフィードバックすることができる。あるいは、受信ノードは、成分品質指示子をフィードバックする。
【００３８】
２２０ｂ：  送信ノードが成分品質指示子を決定する場合には、受信ノードは訂正不可能な受信符号化メッセージブロックの指示だけをフィードバックする。
【００３９】
２２５：  送信ノードは再送設定を、少なくとも部分的にはフィードバック情報に基づいて決定する。随意の選択として、新規の符号化ビットがその送信の中に含まれる。
【００４０】
２３０：  送信ノードは、識別した符号化ビットを第２の符号化メッセージブロックの中に入れて再送する。
【００４１】
２３５：  受信ノードは、第２の符号化メッセージブロックを受信すると、以前に記憶していた第１の符号化メッセージブロックの少なくとも１部分と再送された部分との合成を実行し、第１の符号化メッセージブロックの復号が行えるようにする。合成は、ソフトビット合成、あるいは、シンボルレベルにおける合成でもよい。第１の符号化メッセージブロックの非常に悪い品質を持つ部分からソフト値を廃棄することにより、選択的合成を導入することもできる。除外する部分は、除外閾値よりも低い品質指示子を有する成分に関連する部分として識別される。あるいは、部分は品質指示子に従って分類整理され、所定の数または動的に選択される数の、最も悪い部分は除外される。
【００４２】
本方法のステップは、それぞれの送信に対して、典型的には繰り返し行われる。すなわち、１回の再送、または以前までに受信された全ての送信に基づいたソフト合成ブロックは、次の送信から見ると、第１の送信であると見ることができる。
【００４３】
復号誤りを識別するステップ、すなわちステップ２１０は、例えば、誤り検出符号化および巡回冗長検査（ＣＲＣ）ビットの使用を含むことができる。あるいは、もし反復復号器が用いられるならば、早期停止法（early stopping method）を用いることが望ましい。
【００４４】
ステップ２１５における品質指示子の決定は、従来より知られている数多くの品質測度のうちの多くのものに基づくことができる。品質指示子の決定には、複数の異なる品質測度を用いることも可能である。本出願と同じ出願人によるＰＣＴ／ＳＥ２００４／００１５７５Ｌの中に記載されているＣＱＩ（Channel Quality Indicator）は、本発明の方法に対する適した品質指示子を決定する方法を提供している。
【００４５】
品質閾値は、所定の値でも動的な値であってもよい。好適な実施形態においては、品質閾値は、動的であって、受信ノードからのフィードバックの中に含まれる成分品質指示子に基づいて送信ノードによって決定される。図４における図示は、成分４０５−４３０の上で送信された第１の符号化メッセージブロックを示す。図示されているように、成分４１５、４２５および４３０は、点線４３５で示された品質指示子閾値に達しなかったチャネル品質指示子を有する。そして、これらの成分に関わる符号化メッセージブロックの部分は、図示された例の成分４０５および４２０の上で再送されるであろう。もし、品質閾値が動的で、送信ノードによって決定されるのであれば、送信ノードは品質閾値を受信ノードに知らせる。受信ノードは、この情報と以前に決定したチャネル品質指示子から、符号化メッセージブロックの、送信ノードが再送するであろう部分を抽出することができる。
【００４６】
ステップ２２５における再送設定の決定は、ＨＡＲＱフィードバックばかりでなく、複数の他の送信パラメータを考慮に入れたステップを含むことが望ましい。その決定は、少なくとも、品質要求条件、品質測定、および／または、チャネル予測に基づくことが望ましい。図４に示されるように、第１の符号化メッセージブロック４０５の、品質指示子閾値に達しなかった部分４１０、４１５および４２０は再送されるであろう。悪い部分は、例えば、よいチャネル品質を持つ成分に再配置されることがしばしば望ましいことがある。これらの成分は最初に送信した成分と同じである必要はない。悪い部分の送信に対する成分の選択と次の送信のスケジューリングは互いに密接に関係していることが望ましい。次の送信に対して十分なリソースがない場合には、より少数の成分を選択することができる。
【００４７】
再送設定を決定するステップは、複数の異なる要素を考慮に入れる工程であることが望ましく、限定的でない例として、成分選択、リンク適応、スケジューリングおよび電力制御を含む。さらに下記で述べる要素は、互いに関係し合うのが典型的であり好ましい。それらの入力と相互作用はさらに図５に図示されている。
【００４８】
ａ：  成分選択  −  悪い部分に関連する符号化ビットは、よりよい品質が期待できる成分に再配置されることが望ましい。この場合、その選択は、少なくとも部分的には、フィードバックとスケジューリングに関する考察に基づいて行われる。
【００４９】
ｂ：  リンク適応  −  変調モード、および／または、符号化率は、以前の送信におけるモード／符号化率を取るのではなくて、チャネル条件に適合させることができる。これは、再送の効率と品質を改善するのに役立つ。リンク適応は、成分選択、および／または、次の送信に割り当てられた成分のチャネル予測とともに実行される。受信ノードからのフィードバックは、リンク適応パラメータを含むことができ、そして、変調モード／符号化率の変化は、チャネル品質の推定または予測、または、割り当てられたリソースの大きさに基づいて始動される（例えば、同じ成分を満たすことができる変調モードの内のより低い、かつより強力な変調モードを選択することにより）。
【００５０】
ｃ：  電力制御  −  必要であれば、再送するための送信電力は調節することができる。電力制御は、次の送信における、リンク適応、成分選択、および、割り当てられた成分のチャネル予測とともに実行される。
【００５１】
ｄ：  スケジューリング  −  再送する符号化ビット、および、恐らくは、入力してくるデータストリームからの新しいビットもまた、次の送信に対してスケジュールされる。
【００５２】
送信設定に対する上記の要素の１つ以上は、送信ノードにより決定することができる。これは、チャネル品質フィードバックと、チャネル予測またはスケジューリング要求条件、および再送する部分について受信ノードに知らせる情報等の他の情報と、に基づいて行われることが望ましい。あるいは、１つ以上の上記の要素は、受信ノードにより決定することもでき、示唆された再送選択を意味する、決定されたＣＱＩ閾値としてフィードバックの中に含められてもよい。
【００５３】
例えば、もし、再送のために異なる変調または異なる符号化率が示唆された場合には、または、成分の品質の予測が送信品質はそのときは十分であるという指示を与えた場合には、悪い部分に関連した符号化ビットは、必ずしも新しい成分に移動させる必要はない。
【００５４】
再送におけるパケットの大きさは、品質測定、品質要求条件、および、チャネルに依存する。この結果、再送のリンク適応とそのスケジューリングとの効率よい組み合わせを得ることができる。
【００５５】
ステップ２２５を参照して説明したように、再送設定を決定する手順では、変調に適合する成分を持つ成分の上に、再送する符号化ビットを再びマッピングを行うであろう。従って、受信ノードは、ソフト合成ステップ２３５において、従来のＨＡＲＱにおけるシンボル合成の代わりに、ソフトビット合成を実行する必要がある。
【００５６】
上記で示したように、本発明に従ったＨＡＲＱスキームのために必要なシグナリングは、例えば、悪い部分の識別と再送設定の決定が、どのようにして、および、どのノードで行われるか、に依存するであろう。
【００５７】
所定の品質閾値の場合には、現行のスキームと比較して、非常に限られた量の余分のシグナリングが必要なだけである。受信ノードはフィードバックの中で、それぞれの成分に対するチャネル品質指示子として、ＢＥＩ、および、可能ならばおよび好ましくは、受信した品質情報を、送信ノードに知らせる。受信ノードが、再送すなわち第２の符号化メッセージブロックを正しく解釈するためには、送信ノードから受信ノードへの更なるシグナリングは必要ではない。再送された符号化ビットは常に新しい符号化ビットの前に送信されると仮定すれば、新しい符号化ビットの数は、所定の閾値に関する知識とともに、符号化率および変調モード、スケジューリングのシグナリングに基づいて導出することができる。
【００５８】
動的に決定される閾値の場合には、その閾値は送信ノードまたは受信ノードのどちらによって決定されてもよい。（ａ）送信ノードが閾値を決定する場合には、受信者が真に復号したブロックの情報または品質を知らせるために、受信ノードから送信ノードへ、あといくつかのフィードバックビットが要求される。さらに、送信ノードは、再送の部分を認識する閾値に関して受信ノードに知らせるために、あといくつかのシグナリングビットが必要である。（ｂ）別の観点からすると、受信ノードが再送設定を決定する場合には、再送する必要がある悪い部分を選択するのに用いる品質閾値について送信ノードに知らせるために、受信ノードは、あといくつかのフィードバックビットを必要とする。送信ノードから受信ノードへ、更なるシグナリングは必要ではない。このような方法は、再送選択とスケジューラを合成する柔軟性を制限するであろう。しかし、チャネルが同じパケットに対する異なる送信の試行の間に強い相関を持つ場合にこれを用いるのは、それでも有利なことである。決定者としての受信ノードが、チャネル品質を知らずに次の再送に対するスケジューリングとリンク適応を行おうとするので、受信ノードは現在の送信におけるチャネル品質と同じチャネル品質を仮定しなければならない。
【００５９】
従って、等化ＨＡＲＱに対しては、若干高いシグナリングコストが予測されるかも知れない。シグナリングコストの増加の効果は、いくつかのやり方で軽減することができる。
−  周波数領域での相関を考慮すると、成分選択は、より大きな固まり、すなわち、複数の成分を１つのユニットとして実行することができる。より広い最小再送ユニットを用いれば、悪いユニットインデックスは、悪い成分インデックスと比較してシグナリングコスト低める方向に働く。
−  さらに工夫されたシグナリングの方法、例えば、差分シグナリング（differentiated signalling）は、シグナリングコストを低減するために導入することができる。（ａ）例えば、ＨＡＲＱフィードバックは、第１の再送における最も悪いユニット／成分のインデックスに関する情報を伝えることができる。それでも正しい復号ができない場合には、第２の再送に対して送信ノードに２番目に悪いユニット／成分が伝えられる。決定は受信ノードにより行われる。（ｂ）別の例では、ユニット／成分の品質レベルに関する情報が送信機に伝えられ、送信機が再送の決定を行うであろう。
【００６０】
等化ＨＡＲＱは、以前の送信の最も歪んだ部分を再送することにより、マルチステート動作損失を低減し、組織化ビット消去問題を自動的に正し、そして、悪い部分から生ずるチャネル推定誤りの影響を低減する。
【００６１】
伝送技術としてＯＦＤＭＡを利用する、本発明の実施形態に対応した構成が、限定的でない例としてその概略が述べられる。成分はこの場合には、ＯＦＤＭＡ技術に特有の時間／周波数スロット、または、チャンクである。当業者には理解されるように、本方法は、容易に、ＭＣ−ＣＤＭＡおよびマルチストリーム多入力多出力（ＭＩＭＯ）伝送技術のような複数の成分を用いる他のシステムに適合、または、利用することができる。
【００６２】
図２および図３を参照して説明された本方法のステップは、以下のようなステップでＯＦＤＭＡに好適に適合される。
【００６３】
２０５’：  送信ノード３０５は、受信ノード３１０に対して、第１の符号化メッセージブロックの第１の送信を複数のＯＦＤＭＡチャンクの上で実行する。
【００６４】
２１０’：  もし、受信ノードが復号処理で第１の符号化メッセージブロックの復号に失敗した（ＢＥＩ）場合には、再送適応処理が始動されるであろう。受信された第１の符号化メッセージブロックは受信ノードによって記憶される。もし誤りが検出されなければ、受信ノードは更なるメッセージブロックを受信する用意を行う。
【００６５】
２１５’：  受信ノードは、ＢＥＩ指示を受信すると、第１の送信の中の再送を必要とするチャンクを識別する。
【００６６】
２１５’ａ：  受信ノードは、チャンク品質測定を実行し、それぞれのチャンクに対して品質指示子を決定する。可能であれば、チャンクは、品質指示子に関連してソートされる。
【００６７】
最も低い品質を持つチャンクの中の符号化ビットは、再送されなければならない可能性が強い。所定のまたは動的に決定される閾値以下の品質指示子に関連するチャンクは、悪いチャンクであると識別される。閾値は受信ノードまたは送信ノードによって決定されることができる。
【００６８】
２１５’ｂ：  送信ノードは、例えば、以前の送信に基づいて、個々のチャンクの品質を予測し、それぞれのチャンクに対する品質指示子を決定する。所定のまたは動的に決定される閾値以下の予測品質指示子を持つチャンクは、悪い部分と識別される。
【００６９】
２２０’：  受信ノードは、上記で説明した種々の代替に対応して、以下の（ａ）または（ｂ）に関する情報をフィードバックする。（ａ）再送のために選択されたチャンクと、また好ましくはそれら複数のチャンクの品質に関する情報、または、（ｂ）ＢＥＩの指示とそのＢＥＩがどのメッセージブロックに関連しているか。
【００７０】
２２５’：  送信ノードは再送設定を決定する。符号化ビットの悪いチャンクからよいチャンクへの再配置、すなわちチャンク選択は、少なくとも部分的には、フィードバックとスケジューリングの考慮に基づいて行われる。随意の選択として、新しい符号化ビットは送信の中に含まれる。再送設定はまた、スケジュールされた成分のチャネル品質予測に依存する変調モードを含む。
【００７１】
２３０’：  送信ノードは、以前のステップで識別された符号化ビットを再送する。
【００７２】
２３５’：  受信ノードは、再送を受信すると、ソフト合成を実行する。随意の選択として、非常に悪いチャンクからのソフト値は、結果を劣化させないために、合成処理から除外してもよい。
【００７３】
本発明に従った上述の実施形態を実現する送信ノードと受信ノードにおける適した構成は、それぞれ、図６ａおよび図６ｂに示されている。本発明に従ったモジュールとブロックは、通信システムの中の送信ノードおよび／または受信ノードの機能部分と見なされるべきであって、それら自体は物理的な対象物である必要はない。モジュールとブロックは、少なくとも部分的にはソフトウェアコード手段として実施され、本発明に従った方法を実現するように適合されることが望ましい。「含む」または「備える」という用語は、主として論理的な構成を意味し、「接続される」という用語は、ここでは、機能部分の間のリンクであり、必ずしも物理的な接続ではないと解釈されるべきである。しかし、特定の実施形態では、あるモジュールが、受信ノードまたは送信ノードの中の物理的に判然とした対象物として実現されてもよい。
【００７４】
送信ノード６００は無線通信手段６０５を含む。無線通信手段６０５は、無線信号の実際の受信と送信を実行するために必要な機能を提供するものであり、当業者にはよく知られている。本発明に従えば、送信ノード６００には、フィードバック受信モジュール６１０が設けられ、受信ノードからフィードバック情報を受信するように構成される。フィードバック受信モジュールは、送信を行うための送信設定を無線通信手段に提供する再送設定モジュール６１５に接続される。再送設定モジュール６１５は、チャネル品質測定６２０、成分選択６２５、リンク適応６３０、スケジューリング６３５、および電力制御６４０のためのサブモジュールを含む、または、それらと通信を行うことができる。これらのサブモジュールは、情報を交換し最適な送信設定を与えるように構成される。
【００７５】
受信ノード６５０は無線通信手段６５５を含む。無線通信手段６５５は、無線信号の実際の受信と送信を実行するために必要な機能を提供するものであり、当業者にはよく知られている。復号モジュール６６５が無線通信手段６５５と接続されている。本発明に従えば、受信ノード６５０には、フィードバックモジュール６７０が設けられ、１つの実施形態に従えばチャネル品質測定モジュール６７５が設けられる。復号モジュール６６５は、フィードバックモジュール６７０に接続されるように構成され、受信した符号化メッセージブロックが正確に復号されなかった場合にブロック誤りの指示（ＢＥＩ）を出力するように構成される。品質測定モジュール６７５は、連続的に、または復号モジュール６６５からＢＥＩの上に載せたトリガを受信したときに、それぞれの成分に対する品質指示子を出力するように適合される。品質測定モジュールは、さらに、フィードバックモジュール６７０にも接続され、フィードバックモジュールにチャネル／成分品質に関する情報を提供する。フィードバックモジュール６７０は、無線通信手段６５５に接続され、例えば、ＢＥＩおよび／またはチャネル／成分品質の情報を含むフィードバックを送信ノードに与える準備をするように構成される。
【００７６】
これまでに説明した通信システムにおいて使用するように適合された、例えば、移動局、ユーザ装置、または、無線基地局等の無線ノードは、典型的にまた望ましくは、受信および送信の両機能と、それらに関連する手段を含む。従って、上記の受信ノードの中の手段と送信ノードの中の手段とは、同じ無線ノードの中にあって、異なる動作モードに対応して異なる構成をしていると見ることができる。
【００７７】
本発明に従った方法は、本方法のステップを実行するためのソフトウェアコード手段を含む、プログラム製品またはプログラムモジュール製品によって実施されることが望ましい。プログラム製品は、ネットワークの中の複数のエンティティの上で実行されることが望ましい。プログラムは、例えば、ＵＳＢメモリやＣＤ等のコンピュータが利用可能な媒体から転送されてロードされるか、無線を通して送信されるか、またはインターネットからダウンロードされる。
【００７８】
本発明は、現在最も実用的で好適な実施形態に関連して説明されたが、本発明はここに開示された実施形態に限定されるべきではないと理解されるべきである。逆に、本発明は、添付の特許請求の範囲の中の種々の変形および等価な構成を含むことを意図するものである。
【図面の簡単な説明】
【００７９】
【図１ａ】従来技術のＡＲＱスキームのメッセージシーケンスチャートを示す図である。
【図１ｂ】従来技術のＡＲＱスキームのメッセージシーケンスチャートを示す図である。
【図２】本発明の方法でのフローチャートである。
【図３】本発明に従った方法のメッセージシーケンスチャートである。
【図４】本発明に従ったチャンク選択手順を示す図である。
【図５】本発明に従った種々の機能／手順の相互作用を示す図である。
【図６ａ】本発明に従った送信ノードおよび受信ノードを示す図である。
【図６ｂ】本発明に従った送信ノードおよび受信ノードを示す図である。
【図１ａ】
2009522846.tif 000003
【図１ｂ】
2009522846.tif 000004
【図２】
2009522846.tif 000005
【図３】
2009522846.tif 000006
【図４】
2009522846.tif 000007
【図５】
2009522846.tif 000008
【図６ａ】
2009522846.tif 000009
【図６ｂ】
2009522846.tif 000010
【手続補正書】
【提出日】平成20年3月26日(2008.3.26)
【手続補正１】
【補正対象書類名】明細書
【補正対象項目名】００１２
【補正方法】変更
【補正の内容】
【００１２】
本発明の目的は、従来技術の欠点を克服する方法および装置を提供することにある。これは、独立請求項により規定される方法および装置により達成される。
【手続補正書】
【提出日】平成20年5月6日(2008.5.6)
【手続補正１】
【補正対象書類名】特許請求の範囲
【補正対象項目名】全文
【補正方法】変更
【補正の内容】
【特許請求の範囲】
【請求項１】
無線通信システムにおける送信ノードと受信ノードとの間の通信方法であって、前記通信は、複数の成分に分散された複数の部分を含む第１の符号化メッセージブロックを前記受信ノードに送信する送信ノードを含み、該方法は、
受信された前記第１の符号化メッセージブロックが正しく復号されなかったことを識別するステップ（２１０）と、
復号誤りに寄与する可能性のある前記第１の符号化メッセージブロックの少なくとも１つの部分と該部分に関連する成分とを識別する、ステップ（２１５）と、
前記受信ノードが、前記第１の符号化メッセージブロックが正しく復号されなかったことを示す少なくとも１つの指示と、成分選択、リンク適応、電力制御、スケジューリングの組み合わせを含む提案された再送設定と、を前記送信ノードにフィードバックするステップ（２２０）と、
前記送信ノードが、少なくとも部分的に前記フィードバックに基づいて再送設定を決定するステップ（２２５）であって、前記再送設定の決定は、復号誤りに寄与する可能性のある前記第１の符号化メッセージブロックの前記少なくとも１つの部分の、前記第１の符号化メッセージブロックの送信における前記部分に対し使用された成分よりも良好な品質の成分への割り当てを含む、ステップと、
前記送信ノードが、決定された再送設定を使用して、前記第１の符号化メッセージブロックの選択された部分を第２の符号化メッセージブロックにより前記受信ノードに再送信するステップ（２３０）と、
を含むことを特徴とする通信方法。
【請求項２】
識別する前記ステップは、前記第１の符号化メッセージブロックの送信で使用された複数の成分の品質指示子を決定するステップを含むことを特徴とする請求項１に記載の通信方法。
【請求項３】
前記第１の符号化メッセージブロックの１つの部分は、当該部分に関連する成分の品質指示子が品質閾値を下回る場合、再送信が必要な１つの部分として識別されることを特徴とする請求項２に記載の通信方法。
【請求項４】
前記品質指示子は、少なくとも部分的に、前記第１の符号化メッセージブロックに対し実行された品質測定値、または、前記第１の符号化メッセージブロックに関連する無線信号に基づいていることを特徴とする請求項２または３に記載の通信方法。
【請求項５】
前記品質指示子は、少なくとも部分的にＳＩＮＲ測定値に基づいていることを特徴とする請求項３または４に記載の通信方法。
【請求項６】
前記品質指示子は、少なくとも部分的にシンボル情報速度に基づいていることを特徴とする請求項３または４に記載の通信方法。
【請求項７】
前記品質指示子は、少なくとも部分的にチャネル品質予測値に基づいていることを特徴とする請求項２または３に記載の通信方法。
【請求項８】
復号誤りを識別する前記ステップ（２１０）は、エラー検出符号化および巡回冗長検査ビットの使用を含むことを特徴とする請求項２乃至７の何れか一項に記載の通信方法。
【請求項９】
復号誤りを識別する前記ステップ（２１０）は、早期停止法の使用を含むことを特徴とする請求項２乃至７の何れか一項に記載の通信方法。
【請求項１０】
前記リンク適応は、前記受信ノードからの前記フィードバックの中で提供されるリンク適応パラメータに基づくことを特徴とする請求項２乃至９の何れか一項に記載の通信方法。
【請求項１１】
１以上の前記リンク適応パラメータが、対応する閾値を下回る場合、リンク適応の変更が開始されることを特徴とする請求項１０に記載の通信方法。
【請求項１２】
前記第１の符号化メッセージブロックに含まれない新規の符号化ビットが前記第２の符号化メッセージブロックに追加されることを特徴とする請求項１に記載の通信方法。
【請求項１３】
前記第１の符号化メッセージブロックの復号を容易にするために、さらに、前記第１の符号化メッセージブロックおよび前記第２の符号化メッセージブロックからの情報を合成するステップ（２３５）を含むことを特徴とする請求項１乃至１２の何れか一項に記載の通信方法。
【請求項１４】
前記合成はソフトビット合成であることを特徴とする請求項１３に記載の通信方法。
【請求項１５】
前記ソフトビット合成は選択的であり、前記第１の符号化メッセージブロックのソフトビットの選択は前記合成から除外され、それらに関連する成分の品質指示子に基づいていることを特徴とする請求項１４に記載の通信方法。
【請求項１６】
除外される前記ソフトビットは、除外閾値を下回る品質指示子を有する成分に関連するソフトビットとして識別されることを特徴とする請求項１５に記載の通信方法。
【請求項１７】
前記無線通信システムは前記無線アクセス技術として直交周波数分割多重を利用することを特徴とする請求項１乃至１６の何れか一項に記載の通信方法。
【請求項１８】
無線通信システムの送信ノードにおける通信方法であって、該送信ノードは受信ノードとの通信に従事しており、前記通信は、複数の成分に分散された複数の部分を含む第１の符号化メッセージブロックを前記受信ノードに送信する前記送信ノードを含み、該方法は、
前記送信ノードが、前記第１の符号化メッセージブロックの選択された部分を第２の符号化メッセージブロックにより前記受信ノードに再送信するステップ（２３０）を含み、当該再送信は、前記受信ノードからの前記第１の符号化メッセージブロックが復号されなかったことを少なくとも示すフィードバックの受信により開始され、
前記再送は、前記受信ノードから提供され、成分選択、リンク適応、電力制御、スケジューリングの組み合わせを含む、提案された再送設定に少なくとも部分的に基づいて実行され、前記再送設定は、前記第１の符号化メッセージブロックの選択された部分の、前記第１の符号化メッセージブロックの送信における前記部分に対し使用された成分よりも良好な品質の成分への割り当てを含むことを特徴とする通信方法。
【請求項１９】
前記受信ノードからの前記フィードバックは、前記第１の符号化メッセージブロックの再送が必要な部分を識別する明示的な再送要求情報を含むことを特徴とする請求項１８に記載の通信方法。
【請求項２０】
さらに、前記第１の符号化メッセージブロックの再送が必要な部分を識別するステップ（２１５：ａ）を含み、前記識別は、少なくとも部分的に、前記第１の符号化メッセージブロックの送信に使用された複数の成分の品質識別子に基づいており、前記品質識別子は、送信ノードで決定され前記フィードバックにより前記送信ノードに提供されることを特徴とする請求項１８に記載の通信方法。
【請求項２１】
前記第１の符号化メッセージブロックの部分は、当該部分に関連する成分の品質指示子が品質閾値を下回る場合、再送信が必要な部分として識別されることを特徴とする請求項２０に記載の通信方法。
【請求項２２】
前記品質閾値は、予め決定された値であることを特徴とする請求項２１に記載の通信方法。
【請求項２３】
前記品質閾値は、前記送信ノードにより決定される動的な値であることを特徴とする請求項２１に記載の通信方法。
【請求項２４】
前記品質閾値は、前記送信ノードに提供された前記フィードバックの中の情報に基づいて決定されることを特徴とする請求項２３に記載の通信方法。
【請求項２５】
前記送信ノードは、前記第２の符号化メッセージブロックを正しく解釈できるように前記品質閾値の情報を前記受信ノードに転送することを特徴とする請求項２４に記載の通信方法。
【請求項２６】
前記品質指示子は、少なくとも部分的に、前記第１の符号化メッセージブロックに対し実行された品質測定値、または、前記第１の符号化メッセージブロックに関連する無線信号に基づいていることを特徴とする請求項２０乃至２５の何れか一項に記載の通信方法。
【請求項２７】
前記品質指示子は、少なくとも部分的にＳＩＮＲ測定値に基づいていることを特徴とする請求項２６に記載の通信方法。
【請求項２８】
前記品質指示子は、少なくとも部分的にシンボル情報速度に基づいていることを特徴とする請求項２６に記載の通信方法。
【請求項２９】
さらに、前記第１の符号化メッセージブロックの再送が必要な部分を識別するステップ（２１５：ｂ）を含み、前記識別は、少なくとも部分的に、前記第１の符号化メッセージブロックの送信に使用された複数の成分の品質識別子に基づいており、前記品質識別子は、少なくとも部分的に、チャネル品質予測値に基づいていることを特徴とする請求項１８に記載の通信方法。
【請求項３０】
前記リンク適応は、前記受信ノードからの前記フィードバックの中で提供されるリンク適応パラメータに基づくことを特徴とする請求項１８に記載の通信方法。
【請求項３１】
前記リンク適応は、予測されたリンク適応パラメータに基づくことを特徴とする請求項３０に記載の通信方法。
【請求項３２】
１以上の前記リンク適応パラメータが、対応する閾値を下回る場合、リンク適応の変更が開始されることを特徴とする請求項３０または３１に記載の通信方法。
【請求項３３】
前記第１の符号化メッセージブロックに含まれない新規の符号化ビットが前記第２の符号化メッセージブロックに追加されることを特徴とする請求項１８に記載の通信方法。
【請求項３４】
無線通信システムの受信ノードにおける通信方法であって、該受信ノードは送信ノードとの通信に従事しており、前記通信は、複数の成分に分散された複数の部分を含む第１の符号化メッセージブロックを前記送信ノードから受信する前記受信ノードを含み、該方法は、
受信された前記第１の符号化メッセージブロックが正しく復号されなかったことを識別するステップ（２１０）と、
前記第１の符号化メッセージブロックの復号を容易にするために、第２の符号化メッセージブロックにより再送信すべき前記第１の符号化メッセージブロックの少なくとも１つの部分と、成分選択、リンク適応、電力制御、スケジューリングの組み合わせを含む提案された再送設定と、を決定するステップ（２１５：ａ）と、
前記第１の符号化メッセージブロックが正しく復号されなかったことを示す少なくとも１つの指示と、再送信すべき前記第１の符号化メッセージブロックの前記少なくとも１つの部分の指示と、前記提案された再送設定と、を前記送信ノードにフィードバックするステップ（２２０）と、
を含むことを特徴とする通信方法。
【請求項３５】
前記受信ノードからの前記フィードバックは、前記第１の符号化メッセージブロックの再送が必要な部分を識別する明示的な再送要求情報を含むことを特徴とする請求項３４に記載の通信方法。
【請求項３６】
前記品質指示子は、少なくとも部分的に、前記第１の符号化メッセージブロックに対し実行された品質測定値、または、前記第１の符号化メッセージブロックに関連する無線信号に基づいていることを特徴とする請求項３５に記載の通信方法。
【請求項３７】
前記品質指示子は、少なくとも部分的にＳＩＮＲ測定値に基づいていることを特徴とする請求項３６に記載の通信方法。
【請求項３８】
前記品質指示子は、少なくとも部分的にシンボル情報速度に基づいていることを特徴とする請求項３６に記載の通信方法。
【請求項３９】
前記第１の符号化メッセージブロックの部分は、当該部分に関連する成分の品質指示子が品質閾値を下回る場合、再送信が必要な部分として識別されることを特徴とする請求項３６乃至３８の何れか一項に記載の通信方法。
【請求項４０】
前記品質閾値は前記送信ノードへのフィードバックに含まれることを特徴とする請求項３４に記載の通信方法。
【請求項４１】
１以上の前記リンク適応パラメータが、対応する閾値を下回る場合、リンク適応の変更が提示されることを特徴とする請求項３４に記載の通信方法。
【請求項４２】
前記第１の符号化メッセージブロックの復号を容易にするために、さらに、前記第１の符号化メッセージブロックおよび前記第２の符号化メッセージブロックからの情報を合成するステップ（２３５）を含むことを特徴とする請求項３４乃至４１の何れか一項に記載の通信方法。
【請求項４３】
前記合成はソフトビット合成であることを特徴とする請求項４２に記載の通信方法。
【請求項４４】
前記ソフトビット合成は選択的であり、前記第１の符号化メッセージブロックのソフトビットの選択は前記合成から除外され、それらに関連する成分の品質指示子に基づいていることを特徴とする請求項４３に記載の通信方法。
【請求項４５】
除外される前記ソフトビットは、除外閾値を下回る品質指示子を有する成分に関連するソフトビットとして識別されることを特徴とする請求項４４に記載の通信方法。
【請求項４６】
前記第１の符号化メッセージブロックが正しく復号されなかったことの前記識別（２１５）は、誤り検出復号に基づいていることを特徴とする請求項３４乃至４５の何れか一項に記載の通信方法。
【請求項４７】
前記第１の符号化メッセージブロックが正しく復号されなかったことの前記識別（２１５）は、巡回冗長検査ビットに基づいていることを特徴とする請求項３４乃至４５の何れか一項に記載の通信方法。
【請求項４８】
前記第１の符号化メッセージブロックが正しく復号されなかったことの前記識別（２１５）は、反復復号器のための早期停止法に基づいていることを特徴とする請求項３４乃至４５の何れか一項に記載の通信方法。
【請求項４９】
通信システムでの使用に適した送信ノードであって、該送信ノードは少なくとも受信ノードとの通信に適したものであり、通信において前記送信ノードは、複数の成分に分散された複数の部分を含む第１の符号化メッセージブロックを前記受信ノードに送信し、前記送信ノードは無線通信手段（６０５）を含み、
受信ノードからのフィードバック情報、および、成分選択、リンク適応、電力制御、スケジューリングの組み合わせを含む提案された再送設定の受信に適し、前記フィードバックは符号化メッセージブロックが誤りとして受信されたことを示す、フィードバック受信モジュール（６１０）と、
前記フィードバック受信モジュール（６１０）と接続し、再送設定と、少なくとも前記フィードバック受信モジュール（６１０）から提供されたフィードバックに基づいて再送すべきメッセージブロックの部分と、を決定するのに適し、再送設定の前記決定は、メッセージブロックの再送されるべき前記部分の、前記第１の符号化メッセージブロックの送信における前記部分に対し使用された成分よりも良好な品質の成分への割り当てを含む、再送設定モジュール（６１５）と、
を含むことを特徴とする送信ノード。
【請求項５０】
前記フィードバック受信モジュール（６１０）は、さらに、成分と関連する品質指示子の受信に適しており、前記再送設定モジュール（６１５）は、前記フィードバック受信モジュール（６１０）から提供された品質指示子に再送設定の決定の基とすることを特徴とする請求項４９に記載の送信ノード。
【請求項５１】
前記再送設定モジュール（６１５）は、さらに、再送信に適したリンク適応パラメータを決定するのに適したリンク適応モジュール（６３０）を含むか、または、該リンク適応モジュール（６３０）と接続していることを特徴とする請求項４９または５０に記載の送信ノード。
【請求項５２】
前記再送設定モジュール（６１５）は、さらに、チャネル予測値に基づいて成分品質指示子を決定するのに適したチャネル品質測定モジュール（６２０）を含むか、または、該チャネル品質測定モジュール（６２０）と接続していることを特徴とする請求項４９または５１に記載の送信ノード。
【請求項５３】
通信システムでの使用に適した受信ノードであって、該受信ノードは少なくとも送信ノードとの通信に適したものであり、通信において前記送信ノードは、複数の成分に分散された複数の部分を含む第１の符号化メッセージブロックを前記受信ノードに送信し、前記受信ノードは無線通信手段（６０５）に接続された復号モジュール（６６５）を含み、該復号モジュール（６６５）は、受信したメッセージブロックが復号されなかった場合、誤り指示を提供するのに適しており、
成分の各々に対する品質指示子を提供するのに適した品質測定モジュール（６７５）と、
前記復号モジュール（６６５）および前記品質測定モジュール（６７５）と接続し、前記復号モジュール（６６５）から復号誤りの指示を受信した場合、前記品質測定モジュール（６７５）から提供された品質指示子と、成分選択、リンク適応、電力制御の組み合わせを含む提案された再送設定と、を送信ノードにフィードバックするのに適した、フィードバックモジュール（６７０）と、
を含むことを特徴とする受信ノード。
【請求項５４】
前記品質測定モジュール（６７５）は、さらに、符号化メッセージブロックの再送を必要とする部分を識別するのに適しており、前記フィードバックモジュール（６７０）は、前記品質測定モジュール（６７５）により識別された部分に基づいて明示的な再送要求情報を提供するのに適していることを特徴とする請求項５３に記載の受信ノード。
【請求項５５】
前記品質測定モジュール（６７５）は、さらに、成分の品質測定値と品質閾値とを比較することにより符号化メッセージブロックの再送を必要とする部分を識別するのに適していることを特徴とする請求項５４に記載の受信ノード。
【国際調査報告】
2009522846.tif 000011
2009522846.tif 000012
2009522846.tif 000013
2009522846.tif 000014